(57)【要約】      （修正有）【課題】操作部の位置と電源の状態とを対応させ、使い勝手の良い携帯電子機器を提供する。【解決手段】携帯電話機１は、第１位置と第２位置との間を移動可能に構成されたスイッチ２３と、スイッチ２３の移動を検出する検出部５３と、スイッチ２３が第１位置と第２位置との間を移動したことが検出されると電源を入状態と切状態との間で切り替える制御部５０と、電源の状態に係る情報をスイッチ２３の位置に対応づけて表示する副表示部と、を備え、制御部５０は、第１の条件が満たされると自動的に電源を入状態と切状態との間で切り替えることが可能に構成され、第１の条件が満たされて前記電源の状態が切り替わったときに電源の状態に係る情報とスイッチ２３の位置とが対応しない場合、電源の状態に係る情報を切り替える。【選択図】図５
2011114360.tif 000002
【特許請求の範囲】
【請求項１】
筐体と、
当該筐体に設けられ第１位置と第２位置との間を移動可能に構成された操作部と、
当該操作部の移動を検出する検出部と、
当該検出部により前記操作部が前記第１位置と前記第２位置との間を移動したことが検出されると電源を入状態と切状態との間で切り替える制御部と、
前記電源の状態に係る情報を前記操作部の位置に対応づけて報知する報知部と、を備え、
前記制御部は、第１の条件が満たされると自動的に電源を入状態と切状態との間で切り替えることが可能に構成され、前記第１の条件が満たされて電源の状態が切り替わったときに前記報知部により報知される前記電源の状態に係る情報と前記操作部の位置とが対応しない場合、前記報知部により報知される電源の状態に係る情報を切り替えることを特徴とする携帯電子機器。
【請求項２】
前記制御部は、前記検出部により前記操作部が前記第１位置と前記第２位置との間を移動したことが検出される度に電源の入状態と切状態とを交互に切り替え、前記第１の条件が満たされて前記報知部により報知される前記電源の状態に係る情報を切り替えた後に第２の条件が満たされ、かつ前記検出部により前記操作部が前記第１位置と前記第２位置との間を移動したことが検出された場合、前記報知部により報知される前記電源の状態に係る情報を切り替えることを特徴とする請求項１に記載の携帯電子機器。
【請求項３】
前記報知部は前記操作部の近傍に設けられる表示部であることを特徴とする請求項１または請求項２に記載の携帯電子機器。
【発明の詳細な説明】
【技術分野】
【０００１】
本発明は、携帯電話機等の携帯電子機器に関する。
【背景技術】
【０００２】
従来、携帯電子機器の電源を入状態と切状態との間で切り替える方法については、種々の方法が知られている。
例えば、特許文献１には、第１位置と第２位置との間を移動可能な操作部を有し、操作部が第１位置から第２位置へ移動すると電源を入状態とし、操作部が第２状態から第１位置へ移動すると電源を切状態とすることが可能な携帯電子機器が記載されている。
また、特許文献２には、第１の条件が満たされると自動的に電源を入状態と切状態との間で切り替えることが可能な携帯電子機器が記載されている。
【先行技術文献】
【特許文献】
【０００３】
【特許文献１】特開２００６−１１４４１２号公報
【特許文献２】特開平１１−６８６４８号公報
【発明の概要】
【発明が解決しようとする課題】
【０００４】
ここで、特許文献１および特許文献２に記載されている電源の状態を切り替える構成を両方備える携帯電子機器においては、操作部が移動して電源が入状態となった後に第１の条件が満たされて制御部により自動的に電源が切状態となると、あるいは操作部が移動して電源が切状態となった後に第１の条件が満たされて制御部により自動的に電源が入状態となると、操作部の位置と電源の状態とが対応せず、使い勝手が悪いという課題があった。
本発明は上記の課題に鑑みてなされたもので、その目的は、操作部の位置と電源の状態とを対応させ、使い勝手の良い携帯電子機器を提供することである。
【課題を解決するための手段】
【０００５】
上記課題を解決するために、本発明に係る携帯電子機器は、筐体と、当該筐体に設けられ第１位置と第２位置との間を移動可能に構成された操作部と、当該操作部の移動を検出する検出部と、当該検出部により前記操作部が前記第１位置と前記第２位置との間を移動したことが検出されると電源を入状態と切状態との間で切り替える制御部と、前記電源の状態に係る情報を前記操作部の位置に対応づけて報知する報知部と、を備え、前記制御部は、第１の条件が満たされると自動的に電源を入状態と切状態との間で切り替えることが可能に構成され、前記第１の条件が満たされて電源の状態が切り替わったときに前記報知部により報知される前記電源の状態に係る情報と前記操作部の位置とが対応しない場合、前記報知部により報知される電源の状態に係る情報を切り替える。
好適には、前記制御部は、前記検出部により前記操作部が前記第１位置と前記第２位置との間を移動したことが検出される度に電源の入状態と切状態とを交互に切り替え、前記第１の条件が満たされて前記報知部により報知される前記電源の状態に係る情報を切り替えた後に第２の条件が満たされ、かつ前記検出部により前記操作部が前記第１位置と前記第２位置との間を移動したことが検出された場合、前記報知部により報知される前記電源の状態に係る情報を切り替える。
好適には、前記報知部は前記操作部の近傍に設けられる表示部である。
【発明の効果】
【０００６】
本発明によれば、操作部の位置と電源の状態とが対応した使い勝手の良い携帯電子機器を提供することができる。
【図面の簡単な説明】
【０００７】
【図１】携帯電話機１を開いた状態における正面図である。
【図２】携帯電話機１を開いた状態における右側面図である。
【図３】携帯電話機１を開いた状態における背面図である。
【図４】携帯電話機１の基本的な構成要素を示したブロック図である。
【図５】スイッチ２３、検出部５３および制御部５０の具体的な構成を示す図である。
【図６】携帯電話機１の第１の動作例を示すフローチャートである。
【図７】第１の動作例における副表示部２２、スイッチ２３および主表示部３０の状態を示す図である。
【図８】携帯電話機１の第２の動作例を示すフローチャートである。
【図９】第２の動作例における副表示部２２、スイッチ２３および主表示部３０の状態を示す図である。
【発明を実施するための形態】
【０００８】
以下、図面を参照して本発明を実施するための形態を説明する。
図１乃至図３により、携帯電子機器としての携帯電話機１における基本構造を説明する。図１は、携帯電話機１を開いた状態における正面図である。図２は、携帯電話機１を開いた状態における右側面図である。図３は、携帯電話機１を開いた状態における背面図である。
図１に示すように、携帯電話機１は、操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
操作部側筐体２は、外面がフロントケース２ａとリアケース２ｂとにより構成される。操作部側筐体２は、フロントケース２ａ側に、操作キー群１１と、携帯電話機１の使用者が通話時に発した音声が入力される音声入力部２１と、図１の一部を拡大して示すように報知部の１つとしての副表示部２２と、操作部としてのスイッチ２３とがそれぞれ露出するように構成される。
音声入力部２１、副表示部２２およびスイッチ２３は、操作部側筐体２の長手方向における連結部４側と反対の下端部側に配置される。つまり、音声入力部２１、副表示部２２およびスイッチ２３は、携帯電話機１が開状態において一方の下端部側に配置される。
操作部側筐体２における一方側の側面には、所定の機能が割り当てられているサイドキー２４が配置される。また、操作部側筐体２における背面には、報知部の１つとしてのスピーカー２５が配置されている。
【０００９】
表示部側筐体３は、外面がフロントケース３ａとリアケース３ｂとにより構成される。表示部側筐体３におけるフロントケース３ａ側には、各種情報を表示するための表示部３０と、通話の相手側の音声を出力する音声出力部３１と、が露出するように配置される。ここで、表示部３０は、液晶パネルと、この液晶パネルを駆動する駆動回路と、この液晶パネルの背面側から光を照射するバックライト等の光源部とから構成される。
図４は、携帯電話機１の基本的な構成要素を示したブロック図である。図４に示されるように、携帯電話機１は、操作キー群１１と、音声入力部２１と、副表示部２２と、スイッチ２３と、サイドキー２４と、スピーカー２５と、主表示部３０と、音声出力部３１と、制御部５０と、通信部５１と、記憶部５２と、検出部５３とを有して構成される。
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う決定操作キー１５とにより構成される。操作キー群１１を構成する各キーそれぞれには、操作部側筐体２と表示部側筐体３との開閉状態や各種モード、或いは起動されているアプリケーション等の種類に応じて所定の機能が割り当てられる。そして、使用者が各キーを押圧することにより、各キーに割り当てられている機能に応じた動作が実行される。
音声入力部２１は、入力される音を信号に変えて通信部５１により送信可能にする。
副表示部２２（報知部の１つ）は、液晶や有機ＥＬ（Ｅｌｅｃｔｒｏ  Ｌｕｍｉｎｅｓｃｅｎｃｅ）等で構成される表示デバイスである。副表示部２２は、後述するスイッチ２３の近傍に配置され、本実施形態においては「切」および「入」等の文字を表示することができる。すなわち、副表示部２２は、電源の状態に係る情報を表示することで報知を行う。副表示部２２は、携帯電話機１の電源がオフである場合でも電力の供給を受け、電源の状態に係る情報を表示することができる。
スイッチ２３は、操作部側筐体２の短手方向において、左側（第１位置）と右側（第２位置）との間を移動可能に構成されたスライドスイッチである。
サイドキー２４には、操作キー群１１と同様に、操作部側筐体２と表示部側筐体３との開閉状態や各種モード、或いは起動されているアプリケーション等の種類に応じて所定の機能が割り当てられる。そして、使用者がキーを押圧することにより、キーに割り当てられている機能に応じた動作が実行される。サイドキー２４は、押圧により電気信号を制御部５０へ送信する。
スピーカー２５（報知部の１つ）は、電気信号を振動に変えることで所定の音を発生させる。スピーカー２５は、電源の状態に係る情報を音声として出力して報知を行うことが可能である。
主表示部３０は、液晶や有機ＥＬ（Ｅｌｅｃｔｒｏ  Ｌｕｍｉｎｅｓｃｅｎｃｅ）等で構成される表示デバイスであり、携帯電話機１に係る種々の情報を表示する。
音声出力部３１は、通信部５１により受信した信号を音に変えて出力する。
制御部５０は、上記の携帯電話機１の各構成要素の動作を、記憶部５２に格納されたプログラムによって制御する。例えば、制御部５０は、予め設定した時刻になると電源をオン（入状態）またはオフ（切状態）とするオートパワーオンおよびオートパワーオフ機能を有する。制御部５０は、携帯電話機１の電源がオフである場合でも電力の供給を受け、電源がオフであっても必要とされる制御に係る情報（現在時刻等）を監視する。
制御部５０は、スイッチ２３が左側と右側との間を移動することで生成される信号およびサイドキー２４が押圧されることで生成される信号を受信し、受信したこれらの信号に基づいて電源のオンまたはオフの制御、および副表示部２２における「入」「切」の表示の制御を行う。
通信部５１は、音声通信、メールの送受信、インターネットへの接続、ＧＰＳ（Ｇｌｏｂａｌ  Ｐｏｓｉｔｉｏｎｉｎｇ  Ｓｙｓｔｅｍ）信号の受信等の通信を行う。
記憶部５２は、携帯電話機１に係る種々の情報を記憶する記憶デバイスであり、写真データや音楽データ、そして後述する図６または図８に示すフローチャートに沿って本実施形態の動作を実現するためのプログラム等が格納されている。
検出部５３は、スイッチ２３が左側から右側へ、または右側から左側へ移動したことを検出可能に構成されている。スイッチ２３、検出部５３および制御部５０の動作については以下に述べる。
次に、図５により、スイッチ２３、検出部５３および制御部５０の動作について述べる。図５は、スイッチ２３、検出部５３および制御部５０の具体的な構成を示す図である。図５（ａ）はスイッチ２３が最初左側に位置し、その後右側に移動させた場合を示す。図５（ｂ）はスイッチ２３が最初右側に位置し、その後左側に移動させた場合を示す。
図５（ａ）および図５（ｂ）に示すように、検出部５３は第１信号生成器５３１および第２信号生成器５３２を有する。第１信号生成器５３１は、ＬｏｗからＨｉｇｈの電位の変化を検出すると、ワンショット信号を生成し、制御部５０へ送信する。第２信号生成器５３２は、ＨｉｇｈからＬｏｗの電位の変化を検出すると、ワンショット信号を生成し、制御部５０へ送信する。制御部５０は、電源がオフ状態のときにこれらのワンショット信号を受信すると、電源をオンにする。
なお、制御部５０は状態監視１と状態監視２の信号の変化を定期的に監視しており、変化があった場合に電源オフ処理を行うかを判断し、電源オフさせる。
また、制御部５０は、サイドキー２４が押圧された際に送信される信号を受信している場合には、上述のワンショット信号または状態監視１と状態監視２の信号の変化を検出しても、電源のオン動作およびオフ動作は行わない。
以下、携帯電話機１の具体的な動作について、図６乃至図９を参照しながら説明する。以下では、携帯電話機１は、フローチャートのスタートにおいては、図７（ａ）または図９（ａ）に示す状態にあるものとする。すなわち、携帯電話機１は、電源がオンであり、スイッチ２３が右側に位置し、副表示部２２は右側に「入」・左側に「切」の文字をそれぞれ表示しているものとする。
最初に、ユーザーがスイッチ２３を移動させて電源がオフになった後に、オートパワーオン機能により電源が自動的にオンになる場合（第１の動作例）について、図６および図７を参照して説明する。図６は、第１の動作例を示すフローチャートである。図７は、第１の動作例における副表示部２２、スイッチ２３および主表示部３０の状態を示す図である。なお、図７における主表示部３０については、携帯電話機１の電源のオン・オフをわかりやすくするために図に取り入れたものであり、本発明を実施する上では必ずしも必要ではない。
まず、携帯電話機１に対してオートパワーオン設定がなされる（ステップＡ１）。ユーザーがスイッチ２３を左に動かすと（ステップＡ２）、制御部５０により、携帯電話機１の電源がオフになる（ステップＡ３）。このとき、副表示部２２およびスイッチ２３は図７（ｂ）に示す状態となる。
電源がオフになった後も制御部５０には電力が供給され、制御部５０により予め設定された時刻になったか（第１の条件を満たしているか）が判断される（ステップＡ４）。予め設定された時刻になったと判断されると（ステップＡ４でＹＥＳ）、制御部５０により携帯電話機１の電源がオンとなる（ステップＡ５）。このとき、制御部５０は、副表示部２２に表示される電源の状態に係る情報とスイッチ２３の位置とが合致していないと判断し、副表示部２２に表示される「入」および「切」の文字を切り替える。すなわち、副表示部２２およびスイッチ２３は図７（ｃ）に示す状態となる。
その後、ユーザーの操作によりスイッチ２３が移動すると（ステップＡ６）、制御部５０はサイドキー２４が押されているか（第２の条件を満たしているか）を判断する（ステップＡ７）。サイドキー２４が押されていないと判断された場合（ステップＡ７でＮＯ）、ステップＡ１１に戻り、電源がオフになり、一連の処理を終了する。このとき、制御部５０は副表示部２２の表示とスイッチ２３の位置とが合致していると判断し、副表示部２２の表示は切り替えない。
ステップＡ７においてサイドキー２４が押されていると判断された場合（ステップＡ７でＹＥＳ）、制御部５０は副表示部２２の表示を切り替え（ステップＡ８）、一連の処理を終了する。このとき、電源はオフにならず、副表示部２２およびスイッチ２３は図７（ｄ）に示す状態となる（元に戻る）。
ステップＡ３において電源がオフになった後、制御部５０によりオートパワーオンの時刻になっていないと判断されると（ステップＡ４でＮＯ）、ユーザーの操作によりスイッチ２３が移動したかが制御部５０によって判断される（ステップＡ９）。スイッチ２３が移動していないと判断された場合（ステップＡ９でＮＯ）、ステップＡ４に戻る。スイッチ２３が移動したと判断された場合（ステップＡ９でＹＥＳ）、制御部５０により電源がオンになり（ステップＡ１０）、一連の処理を終了する。このとき、副表示部２２およびスイッチ２３は図７（ａ）に示す状態となる。
次に、オートパワーオフ機能により電源が自動的にオフになった後に、ユーザーがスイッチ２３を移動させて電源がオンになる場合（第２の動作例）について図８および図９を参照して説明する。図８は、第２の動作例を示すフローチャートである。図９は、第２の動作例における副表示部２２、スイッチ２３および主表示部３０の状態を示す図である。
まず、携帯電話機１に対してオートパワーオフ設定がなされる（ステップＢ１）。その後、制御部５０によって予め設定された時刻になったかが監視される（ステップＢ２）。予め設定された時刻になったと判断されると（ステップＢ２でＹＥＳ）、制御部５０により携帯電話機１の電源がオフとなる（ステップＢ３）。このとき、制御部５０は、副表示部２２に表示される電源の状態に係る情報とスイッチ２３の位置とが合致していないと判断し、副表示部２２に表示される「入」および「切」の文字を切り替える。すなわち、副表示部２２およびスイッチ２３は図９（ｂ）に示す状態となる。
オートパワーオフ機能により携帯電話機1の電源がオフになると共に副表示部２２の表示が切り替わった後、ユーザーの操作によりスイッチ２３が移動したことが制御部５０によって検出されると（ステップＢ４）、制御部５０は、サイドキー２４が押されているかを判断する（ステップＢ５）。サイドキー２４が押されていると判断された場合（ステップＢ５でＹＥＳ）、制御部５０は副表示部２２の表示を切り替え（ステップＢ６）、一連の処理を終了する。このとき、電源はオンにならず、副表示部２２およびスイッチ２３は図９（ｃ）に示す状態となる（元に戻る）。
ステップＢ５において、制御部５０によりサイドキー２４が押されていないと判断された場合（ステップＢ５でＮＯ）、電源がオンになり（ステップＢ７）、一連の処理を終了する。このとき、制御部５０は副表示部２２の表示とスイッチ２３の位置とが合致していると判断し、副表示部２２の表示は切り替えない。
ステップＢ２において、制御部５０によりオートパワーオフの時刻になっていないと判断されると（ステップＢ２でＮＯ）、ユーザーの操作によりスイッチ２３が移動したかが制御部５０によって判断される（ステップＢ８）。スイッチ２３が移動していないと判断された場合（ステップＢ８でＮＯ）、ステップＢ２に戻る。スイッチ２３が移動したと判断された場合（ステップＢ８でＹＥＳ）、電源がオンになる。このとき、制御部５０は副表示部２２の表示とスイッチ２３の位置とが合致していると判断し、副表示部２２の表示は切り替えない。
なお、図８には示していないが、ステップＢ３において携帯電話機１の電源がオフになった後に、オートパワーオンにより電源がオンになった場合には、制御部５０は副表示部２２の表示とスイッチ２３の位置とが合致していないと判断し、制御部５０により副表示部２２の表示が再度切り替わる。このとき、副表示部２２およびスイッチ２３は図９（ｄ）に示す状態となる。
また、図６および図８のフローチャートに示される処理は、適宜組み合わせることが可能である。例えば、オートパワーオンとオートパワーオフの両方が設定されている場合には、ステップＡ８において制御部５０により副表示部２２の表示が切り替わった後に、ステップＢ２に進み、制御部５０がオートパワーオフの設定時刻になったかどうかを判断する処理を行ってもよい。
以上の構成を有する本実施形態の携帯電話機１によれば、オートパワーオンまたはオートパワーオフがなされ副表示部２２に表示される電源の状態に係る情報とスイッチ２３の位置とが合致しなくなった場合に、制御部５０により副表示部２２に表示される電源の状態に係る情報が切り替わる。これにより、スイッチ２３の位置と副表示部２２に表示される「入」「切」の文字とが対応し、携帯電話機１の使い勝手が向上する。
以上、好適な実施形態について説明したが、本発明は上述した実施形態に限定されることなく種々の形態で実施することができる。例えば、本実施形態において、携帯電子機器として携帯電話機について説明しているが、これに限定されず、操作部が第１位置と第２位置との間を移動すると電源が入状態と切状態とで切り替わり、かつ自動的に電源を入状態および切状態とすることが可能なものであれば、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、等のその他の携帯電子機器であってもよい。
また、本実施形態においては、連結部４により折り畳み可能な携帯電話機１の説明をしているが、このような折り畳み式に限定されるものではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一つの筐体に配置され連結部を有さない型式（ストレートタイプ）でもよい。また、携帯電話機１は、開閉及び回転可能ないわゆる２軸ヒンジタイプであってもよい。
また、本実施形態においては、報知部による電源の状態に係る情報の報知を副表示部２２による表示として説明を行っているが、本発明はこれに限定されず、例えばスピーカー２５により電源の状態に係る情報を音声として出力し報知を行う構成であってもよい。
また、本実施形態においては、副表示部２２およびスイッチ２３は操作部側筐体２に設けられているが、本発明はこれに限定されず、表示部側筐体３や連結部４に設けられていてもよい。
また、本実施形態においては、副表示部２２はスイッチ２３の近傍に設けられているが、本発明はこれに限定されず、互いに離間して配置されていてもよい。
また、本実施形態においては、副表示部２２は液晶や有機ＥＬ等で構成される表示デバイスであるが、本発明はこれに限定されず、電源の状態に係る情報を切り替えて表示することが可能であれば種々の方法で表示することができる。例えば、筐体の表面に光を透過する材質で２組の「入」「切」の文字を形成し、筐体の内部から照光することで電源の状態を表示してもよい。また、表示する文字は「入」「切」に限定されず、「ＯＮ」「ＯＦＦ」等であってもよい。
また、本実施形態においては、スイッチ２３をスライドスイッチとして説明を行っているが、本発明はこれに限定されず、第１位置と第２位置との間を移動可能なものであれば、例えばシーソースイッチ等であってもよい。
また、本実施形態においては、スイッチ２３の位置として操作部側筐体２の短手方向において左側を第１位置、右側を第２位置としているが、本発明はこれに限定されず、右側を第１位置、左側を第２位置としてもよい。また、スイッチ２３は操作部側筐体２の長手方向に移動するように構成されていてもよい。
また、本実施形態においては、制御部５０は、スイッチ２３が右側および左側の一方側から他方側へ移動し終えて生成されるワンショット信号を検出するとスイッチ２３が移動したと判断しているが、本発明はこれに限定されず、制御部５０は、スイッチ２３の接点と第１信号生成器５３１または第２信号生成器５３２との接点が離れたことが検出するとスイッチ２３が移動したと判断してもよい。
また、本実施形態においては、予め設定された時刻になったことを第１の条件が満たされた状態として説明を行っているが、本発明はこれに限定されず、自動的に携帯電話機１の電源をオンまたはオフにするトリガとなる条件であればよく、例えば携帯電話機１の電源をオフにする遠隔操作がなされたことをもって第１の条件が満たされた状態としてもよい。
また、本実施形態においては、サイドキー２４が押されていることを第２の条件が満たされた状態として説明を行っているが、本発明はこれに限定されず、例えば主表示部３０をタッチパネルにより構成して主表示部３０に対する操作の位置を検出し、主表示部３０の所定の箇所において接触が検出されたことをもって第２の条件が満たされた状態としてもよい。
【符号の説明】
【００１０】
１            携帯電話機（携帯電子機器）
２            操作部側筐体（筐体）
３            表示部側筐体
１１          操作キー群
２１          音声入力部
２２          副表示部（報知部）
２３          スイッチ（操作部）
２４          サイドキー
２５          スピーカー（報知部）
３０          主表示部
３１          音声出力部
５０          制御部
５１          通信部
５２          記憶部
５３          検出部
【図１】
2011114360.tif 000003
【図２】
2011114360.tif 000004
【図３】
2011114360.tif 000005
【図４】
2011114360.tif 000006
【図５】
2011114360.tif 000007
【図６】
2011114360.tif 000008
【図７】
2011114360.tif 000009
【図８】
2011114360.tif 000010
【図９】
2011114360.tif 000011